(57)【要約】      （修正有）【課題】接続金具を用いることなく素人でも簡単に制作可能な組立構造を提供する。【解決手段】所望の設置面に縦角材２の端部と横角材４の端部を直角に蟻組して構成した第一の井桁を設置し、この第一の井桁の上方に、前記と同様に縦角材２の端部と横角材４の端部を蟻組して構成した第二の井桁を載置し、更に第二の井桁に前記と同様に構成した第三の井桁を載置し、これらの井桁を順次積み重ね、通しボルトで固定して構成するものにおいて、前記縦角材２あるいは横角材４のいずれか一方の端面に蟻を形成し、前記に対応する縦角材２あるいは横角材４のいずれか一方の端部側面に、前記蟻とその角材端面を共に受容する大入れ蟻組凹陥部を先端突出部を残して形成し、前記それぞれの井桁を縦角材２あるいは横角材４の端部が交互に突出するように大入れ蟻組し積み重ねて構成した角材の組立構造。【選択図】図７
0003180415.tif 000002
【実用新案登録請求の範囲】
【請求項１】
所望の設置面に縦角材の端部と横角材の端部を直角に蟻組して構成した第一の井桁を設置し、この第一の井桁の上方に、前記と同様に縦角材の端部と横角材の端部を蟻組して構成した第二の井桁を載置し、更に第二の井桁に前記と同様に構成した第三の井桁を載置し、これらの井桁を順次積み重ね、通しボルトで固定して構成する角材の組立構造において、
前記縦角材あるいは横角材のいずれか一方の端面に蟻を形成し、前記に対応する縦角材あるいは横角材のいずれか一方の端部側面に、前記蟻とその角材端面を共に受容する大入れ蟻組凹陥部を先端突出部を残して形成し、前記それぞれの井桁を縦角材あるいは横角材の端部が交互に突出するように大入れ蟻組し積み重ねて構成した角材の組立構造。
【請求項２】
所望の設置面に縦角材の端部と横角材の端部を直角に連結構成した第一の井桁を設置し、この第一の井桁の上方に、前記と同様に縦角材の端部と横角材の端部を連結構成した第二の井桁を載置し、更に第二の井桁に前記と同様に構成した第三の井桁を載置し、これらの井桁を順次積み重ね、これらの井桁を構成するそれぞれの角材を通しボルト、及びこの通しボルトに螺合させたナットで上下方向に固定し、ナットが当接する角材の底面にはナットを受容する溝を形成したものである角材の組立構造。
【請求項３】
同一断面形状の角材を用いた組立て構造であって、前記直交する角材同士を蟻組によって多数の井桁を構成し、これらの井桁を上下に接着剤により接着して重ね合わせることのより家屋の側壁を構成し、これらの側壁を構成するそれぞれの角材に所望の間隔でその位置を同一とする貫通穴を穿設し、この貫通穴にナットを有するボルトを貫通挿入し、これらのナットを締付けることによってそれぞれの角材を上下に一体化して構成した角材の組立構造。
【考案の詳細な説明】
【技術分野】
【０００１】  本考案は、家屋などの建築物を制作する組立構造に関し、特に、断面寸法の小さい角材を用いるのに適した角材の組立構造に関する。
【背景技術】
【０００２】  近年では、建築の専門家でない人達による物作りが盛んである。建築工法には、ログ工法や正角に製材した角材を組立てる工法等色々あるが、いずれも相当の専門的な知識と技術が必要であり、素人は容易に対応できない分野となっている。
一方、大工や職人達に制作を依頼すると、発注人が負担する人件費に加え、建築素材も木材、建材、仕上材と多岐に亘っており高額になるものである。【０００３】  本考案は小径の角材の使用を可能にしたもの、所謂、間伐材等を使用し、角材を積み重ねて家屋を構成する角材の組み立て構造に最適なものである。
一方、角材や断面かまぼこ状の角材を積み重ねて家屋を構成する考案が特許文献１に記載されている。
また、直交する角材を組金具で結合家屋を構成する発明が特許文献２に記載されている。
【先行技術文献】
【特許文献】
【０００４】
【特許文献１】実公平４−４２４０８号公報
【特許文献２】特開平８−３１２００６号公報
【考案の概要】
【考案が解決しようとする課題】
【０００５】  しかし、上述の特許文献１記載の考案は、かまぼこ状顔面の丸太の端部に蟻継手を形成し、一方この丸太に直交する丸太の側面に前記蟻継手を受容する仕口を形成し、この仕口に前記蟻継手を挿入嵌合することで体力壁を構成するものであるが、この組み立て構成は大入れ蟻組構成でないので蟻継手に荷重が集中し、地震などで破損する虞を有している。又、上下の連結には雇板とボルトを用いているので部品点数が多くなり、作業工数が増大し、費用も高くなるものである。
又、特許文献２記載の発明は、大梁の横面に支持プレートを有する金物本体によって小梁を直角に結合するものであり、前記特許文献１の雇板と同様に結合用の金具を用いるものであり、部品点数が増加するという共通の問題点を有する。尚、本特許文献２の発明は従来から行われていた蟻掛けのみ（図４参照）では強度等で不充分であるとしてこの発明が提案されていることを認識すべきである。
本考案は、かかる課題に着目し、角材の積み重ねによって家屋を構成することを基本構造とし、接続金具を用いることなく大入れ蟻組で縦横角材を直角に組み付け、これに加えて縦横角材の端部を交互に突出させて強度を増大させ、素人でも簡単に制作可能な組立構造を提供することを目的としてなされたものである。
【課題を解決するための手段】
【０００６】  上述の課題は、所望の設置面に縦角材の端部と横角材の端部を直角に蟻組して構成した第一の井桁を設置し、この第一の井桁の上方に、前記と同様に縦角材の端部と横角材の端部を蟻組して構成した第二の井桁を載置し、更に第二の井桁に前記と同様に構成した第三の井桁を載置し、これらの井桁を順次積み重ね、通しボルトで固定して構成する角材の組立構造において、
前記縦角材あるいは横角材のいずれか一方の端面に蟻を形成し、前記に対応する縦角材あるいは横角材のいずれか一方の端部側面に、前記蟻とその角材端面を共に受容する大入れ蟻組凹陥部を先端突出部を残して形成し、前記それぞれの井桁を縦角材あるいは横角材の端部が交互に突出するように大入れ蟻組し積み重ねて構成した角材の組立構造によって達成される。
又、前記のように順次積み重ねられた井桁を構成する角材を、通しボルト、及びこの通しボルトに螺合させたナットで上下方向に固定し、ナットが当接する角材の底面にはナットを受容する溝を形成したものである角材の組立構造にある。
あるいは又、同一断面形状の角材を用いた組立て構造であって、前記直交する角材同士を蟻組によって多数の井桁を構成し、これらの井桁を上下に接着剤により接着して重ね合わせることにより家屋の側壁を構成し、これらの側壁を構成するそれぞれの角材に所望の間隔でその位置を同一とする貫通穴を穿設し、この貫通穴にナットを有するボルトを貫通挿入し、これらのナットを締付けることによってそれぞれの角材を上下に一体化して構成した角材の組立構造によって達成される。
【考案の効果】
【０００７】    本考案は前記手段のように、角材の積み重ねによって家屋を構成することを基本構造とし、大入れ蟻組で縦横角材を直角に組み付け、ナットを有し上下に貫通するボルトによって上下に強固に緊迫結合し、これに加えて縦横角材の端部を交互に突出させることによって強度が増大し、素人でも簡単に制作可能な組立構造を提供することができたものである。
又、上下の角材間を接着剤によって接着することにより強度と水封性を高めたものである。
【図面の簡単な説明】
【０００８】
【図１】土台（１段目）井桁を示す平面図。
【図２】２段目井桁を表す平面図。
【図３】３段目井桁を表す平面図。
【図４】出入口と窓用の井桁を表す４段目井桁を示す平面図。
【図５】同様に出入口と窓用の井桁を表す５段目井桁を示す平面図。
【図６】入口及び窓の上部の井桁を表す６段目井桁を示す平面図。
【図７】完成した組立構造例を示す斜視図。
【図８】大入れ蟻組の平面図。
【図９】壁正角材へのボルトの取り付け方法を示した図。
【図１０】高ナットによるボルトの繋ぎ合わせを示す斜視図。
【図１１】土台へのボルト取り付け方法を示す図。
【考案を実施するための形態】
【０００９】  以下、図を参照して、本考案の一実施例を説明する。
本考案は、断面小寸法の角材が使用できることから、間伐材を使用する実施例として説明するが、間伐材に限定されるものでないことを先ず付言しておく。
間伐材は、収縮や変形を回避するために、所定の期間、自然乾燥又は機械乾燥により含水率を２０％以下にする。自然条件であれば葉を付けたままで乾燥させる葉枯し乾燥で１２０日以上、機械乾燥であれば４０〜４５日、蒸気乾燥で２３〜２５日、あるいは高周波減圧乾燥で７日以上の乾燥処理を行う。
木材の含水率は心材と周辺材で異なるため、心材の多い小口径間伐材は上記の日数より短縮できる。次に、製材して一定の角材（７０〜１２０ｍｍ角）にする。間伐材は曲がりが少なくないが、０．５ｍ、１ｍ、１．５ｍあるいは２ｍと短い角材も利用する。
【００１０】  次に、８０ｍｍ角の角材を使用して図７の家屋を制作する場合の実施例について説明する。
角材は、横角材と縦角材から成り、横角材１、４、６、８、９、１２と縦角材２、３、７、１０、１１、１３の両端部を大入れ蟻組５により相互に直角に接合し、単位ユニットの井桁を構成する。
大入れ蟻組５とは、図８に示すように、横角材８の端面８−１に蟻８−２を形成し、これを受ける縦角材２の側面に大入れ蟻組凹陥部２−１を形成し、この大入れ蟻組凹陥部２−１に横角材８の端面８−１と蟻８−２と共に収納することによって相互に直角な大入れ蟻組が完成する。
大入れ蟻組５にすることで、結合自体が強固になり、横角材そのものの端面が大入れ蟻組凹陥部２−１に受容されるので蟻８−２に対して直接的な捩れ力が加わることがなく強度が大幅に増大する。
更に、縦角材２の端面を大入れ蟻組５よりも突出させることで、大入れ蟻組凹陥部２−１の強度の低下を防止し、更に強度の向上を図るようにしている。２−２はその突出部である。
更にまた、この大入れ蟻組５の雄と雌は縦角材と横角材交互にし、縦角材と横角材の先端部が交互に突出するように大入れ蟻組を構成する。
これにより組み立てられた構造体は更に強度の向上が図られる。すなわち、これらの突出部２−２が直角に交互に設けていることから左右いずれの方向からの外力に対しても抵抗力がより向上しているものである。
また、正角に加工した縦、横角材の芯には、ボルト用の孔１８をそれぞれ加工する。
ボルトに螺合する各ナットが所在する個所に丸穴溝（３０Φ×１５ｍｍ）を加工することにより、正角材を重ねたときに隙間なく水平に積み重ねできるように工夫されている。
【００１１】  次に、井桁ユニットを積み重ねて家屋を制作する工法を図１乃至図７に基づき説明する。
本工法は先ず、図１の土台（１段目）井桁の組立から始める。土台の縦角材２と１０の孔１８にボルト１９を通し、上端と下端にナットを螺合してきつく締め付ける。次に、縦角材２と１０に大入れ蟻組５をした横角材８と１２にもボルトを通してナットによりしっかりと締めれば１段目の土台の井桁ができる。
このとき大入れ蟻組５の縦角材２と１０の先端の突出部２−２を横角材８と１２よりも突出させる。
これにより大入れ蟻組５部の結合力が増大し、井桁全体の強度も向上する。
【００１２】  次に、図２に基づき２段目の井桁を作成する工程を説明する。長い横角材１と４に穿った孔１８にボルト１９を通し、土台（図１の井桁）の上に接着剤を付け、下土台に合わせて上場をナットで締める。次に入口用の２本の縦角材７、及びこれに対向する縦角材３に穿設した孔１８にボルト１９を通し、前記と同様に接着剤を塗布し、大入れ蟻組５に取り付け土台に合わせてナットを締める。
２本の縦角材７の間は出入口となる。これで、２段目井桁が構成される。
このとき重要なのは、横角材１と４の先端突出部２−２を大入れ蟻組５部よりも突出させていることである。
【００１３】  次に、３段目の井桁を構成する工程を図３に基づいて説明する。図３により、２本の縦角材１１の孔１８にボルト１９を通し下角材に接着剤を付け、下角材に合わせてナットを締める。次に縦角材１０の孔１８にボルト１９を通して下角材に接着剤を付け、下角材に合わせてナットを締める。また、横角材８，１２の孔１８にボルト１９を通し下角材に接着剤を付け、大入れ蟻組５してナットを締める。
これによって、３段目の井桁が完成する。各角材には、番号を付しており、２段目、３段目を繰り返して積み上げていく。この３段目の井桁においては、１段目と同様、縦角材１０と１１の先端の突出部２−２を大入れ蟻組５部よりも突出とさせている。
【００１４】  次に、入り口に加えて窓を構成する場合、図４の井桁を用いる。図において、２本の横角材６の孔１８にボルト１９を通して、下角材に接着剤を付け、下角材に合わせてナットを締める。また、横角材１の孔１８にもボルト１９を通して、下角材に接着剤を付け、下角材に合わせてナットも締める。
次に、２本の縦角材７の孔１８にボルト１９を通して、下角材に接着剤を付け、下角材に合わせてナットを締める。縦角材３も、同様である。これで、図４に示す４段の井桁ができる。
この段では、横角材１と６の先端の突出部２−２を大入れ蟻組５部よりも突出させている。
【００１５】  次に、図５に示す５段の井桁構成を説明する。２本の縦角材１１の孔１８にボルト１９を通し、下角材に接着剤を付け、下角材に合わせてナットを締める。また、縦角材１０の孔１８にもボルト１９を通し、下角材に接着剤を付け、下角材に合わせてナットを締める。次に、横角材８、９の孔１８にもボルト１９を通して、下角材に接着剤を付け、下角材に合わせてナットを締める。これで、第５の段が完成する。そして前記第４の井桁とこの第５の井桁によって繰り返して積み上げることで窓を作ることができる。
この段では、縦角材１０と１１の先端の突出部２−２を大入れ蟻組５部よりも突出させている。
【００１６】  次に、図６に基づき入り口や窓よりも上方の第６の段について説明する。第６段は、入り口や窓を構成する必要がないので、それぞれ天井付近まで積み上げていく。井桁の上場より出たボルトは、工具（ディスクグラインダー等）で切り取る。
この段では、横角材１と４の先端の突出部２−２を大入れ蟻組５部よりも突出とさせている。
次に、図７に示すように、両側の勾配角材１６、１７に接着剤を付け、下角材に合わせてナットを締める。最後に、棟木１５を取り付ければ本図に示す家屋が完成する。
【００１７】  前記において、井桁ユニットを積み重ねるとき、縦角材と横角材の先端を交互に突出させることで、積み重ねた状態において、どの方向からの外力に対しても抵抗する力が増し、全体として強度の向上を図ることができるものである。
この点において、前記特許文献１に記載されている考案には、蟻組、ボルト、雇板で、家屋本体の強度を向上させているのであるが、部品点数の増加や作業性の点から好ましいものではない。
特許文献２の発明も金物本体を用いる点で同様の課題を有している。
【００１８】  次にボルトの取り付け方を図９〜１１を参照して説明する。
図９はナット２２、ワッシャー２３及びボルト１９の壁角材２０への納め方である。
壁角材２０に溝２１を設けることにより、ナット２２及びワッシャー２３を溝２１内に配置し、壁角材２０の上下面を密着させることが可能となる。
このとき、角材同士を一本毎にナットで締め付けることにより複数を纏めて締付けるのに比して強くなり、又、角材のそりを容易に修正することができ、水封効果も接着剤の使用と相まって向上するものである。ボルトがあまりに長い場合は作業が困難であるため、図１０に示すように、適当な長さのボルト２４を高ナット２５を用いて繋ぎ合わせることにより、施工性を向上することができる。
尚、繋ぎ合わせ部分は図９の手法により壁角材内に納める。
土台へのボルトの取付方法は図１１に示すとおりである。
【００１９】  本工法を実施する場合には、組立順序を示した指示書を作成する。この指示書で、簡単に小住宅を建築可能であり、縦横角材を直角に大入れ蟻組し、加えて接着剤及びボルトを用い、最後にナットで締めていくことを繰り返すことにより、強固で格安な建築物ができる。また、内側と外側も仕上てあるため、工事完成が早くなる。又、外側には所望すれば外壁材を張ることもできる。この工法によれば趣味の部屋、子供部屋、物置など様々な用途に対応可能である。
尚、本考案は間伐材を使用するのに好適なものであるが、それに限定されないものであることは前記したとおりである。
【００２０】    以上述べたように本考案は、縦横角材を相互に直角に蟻組して構成した複数の井桁を順次積み重ね、通しボルトで固定して構成する角材の組立構造であって、前記縦角材あるいは横角材のいずれか一方の端面に蟻を形成し、前記に対応する縦角材あるいは横角材のいずれか一方の端部側面に、前記蟻とその角材端面を共に受容する大入れ蟻組凹陥部を先端の突出部を残して形成し、前記それぞれの井桁を縦角材あるいは横角材の前記突出部が交互に直角方向に突出するように大入れ蟻組し積み重ねて構成したものであり、これによって、家屋等の組み立て構造体の強度が増大し、単なる積み重ね工法であるため素人でも簡単に制作可能になるものである。
又、本考案は上下の角材を接着剤で接着すると共にナットで締付けるように構成したので強度や水封性が向上するという顕著な効果を奏するものである。・
本考案は実用新案登録請求の範囲に含まれるいかなる代案や変形例も権利範囲に属するものであることを付言しておく。
【符号の説明】
【００２１】１，４、６、８、９、１２・・・横角材
２、３、７、１０、１１、１３・・・縦角材
５・・・大入れ蟻組
２−１…大入れ蟻組凹陥部
２−２・・・突出部
８−１・・・角材の端面
８−２・・・蟻
１５・・・棟木
１６，１７・・・勾配角材
１８・・・孔
１９・・・ボルト
２０・・・壁角材
２１・・・溝
２２・・・ナット
２３・・・ワッシャー
２４・・・ボルト
２５・・・ダブルナット
２６・・・土台
【図１】
0003180415.tif 000003
【図２】
0003180415.tif 000004
【図３】
0003180415.tif 000005
【図４】
0003180415.tif 000006
【図５】
0003180415.tif 000007
【図６】
0003180415.tif 000008
【図７】
0003180415.tif 000009
【図８】
0003180415.tif 000010
【図９】
0003180415.tif 000011
【図１０】
0003180415.tif 000012
【図１１】
0003180415.tif 000013